(57)【要約】【課題】  補助柱を屋根にワンタッチで容易に取付けでき且つ装着後は補助柱を確実に固定できる簡易建物を提供する。【解決手段】  本発明の簡易建物１は、片側を支持した屋根５と、補助柱７と、屋根の自由端に固定した上部受具９と、地面に設けた下部受具１１とを備え、上部受具９及び下部受具１１は棒状であり、補助柱７は上端７ａに上部受具９と係合する上部溝１９と抜け止め具２１を有し、下端７ｂに下部受具と係合する下部溝を有し、上部溝１９は上方に開口し、前後何れか一方向に傾斜しており、抜け止め具２１は上位置と下位置との間を上下動自在に設けてあり且つ上位置に向けて上方に付勢して補助柱７に取付けてあり、抜け止め具２１の当接部２２は上位置で、上部溝１９に係合した上部受け具の係合部９の上部溝開口１９ａ側当接し、上部受具の係合部９が上部溝１９から抜けることを阻止し、下位置で上部受具９が上部溝１９から抜けることを許容する。【選択図】      図１
2006028771.tif 000002
【特許請求の範囲】
【請求項１】
片側を支持した屋根と、補助柱と、屋根の自由端に固定した上部受具と、地面に設けた下部受具とを備え、上部受具及び下部受具は各々棒状の係合部を有し、補助柱は、上端に上部受具の係合部と係合する上部溝と抜け止め具を有し、下端に下部受具の係合部と係合する下部溝を有し、上部溝は上方に開口し、前後何れか一方向に傾斜しており、抜け止め具は上位置と下位置との間を上下動自在に設けてあり且つ上位置に向けて上方に付勢してあると共に、上部溝に係合した上部受具の係合部の上部溝開口側と当接自在な当接部を有し、補助柱には抜け止め具を下方に移動する操作部が設けてあり、抜け止め具は上位置で当接部により上部受具の係合部が上部溝から抜けることを阻止し、下位置で上部受具の係合部が上部溝から抜けることを許容することを特徴とする簡易建物。
【発明の詳細な説明】
【技術分野】
【０００１】
本発明は、カーポート等の簡易建物に関する。
【背景技術】
【０００２】
特許文献１には、片側を支持した屋根の自由端に補助柱を脱着自在に設けた簡易建物が開示されている。この簡易建物では、屋根の自由端に固定した受具に嵌合孔や嵌合溝を設けて補助柱の上端部を嵌合し、地面に固定したアンカーに補助柱下端に設けた溝を係合することにより、補助柱を脱着自在に取付けている。
【０００３】
【特許文献１】特開２００３−２０６６４５号公報
【発明の開示】
【発明が解決しようとする課題】
【０００４】
しかし、特許文献１の技術では、上部受具の嵌合孔や嵌合溝に一致するようにして、補助柱の上端部を嵌め入れ且つ補助柱を回転させたりスライドさせたりする操作が必要であるから、取付け操作に手間がかかるという問題がある。
また、上述した特許文献１に開示の技術では、いたずら等により補助柱を回転したり上端がスライドするように揺らしたときに嵌合が外れやすいという問題がある。
そこで、本発明は、補助柱を屋根にワンタッチで容易に取付けでき且つ装着後は補助柱を確実に固定できる簡易建物の提供を目的とする。
【課題を解決するための手段】
【０００５】
請求項１に記載の発明は、片側を支持した屋根と、補助柱と、屋根の自由端に固定した上部受具と、地面に設けた下部受具とを備え、上部受具及び下部受具は各々棒状の係合部を有し、補助柱は、上端に上部受具の係合部と係合する上部溝と抜け止め具を有し、下端に下部受具の係合部と係合する下部溝を有し、上部溝は上方に開口し、前後何れか一方向に傾斜しており、抜け止め具は上位置と下位置との間を上下動自在に設けてあり且つ上位置に向けて上方に付勢してあると共に、上部溝に係合した上部受具の係合部の上部溝開口側と当接自在な当接部を有し、補助柱には抜け止め具を下方に移動する操作部が設けてあり、抜け止め具は上位置で当接部により上部受具の係合部が上部溝から抜けることを阻止し、下位置で上部受具の係合部が上部溝から抜けることを許容することを特徴とする。
【発明の効果】
【０００６】
請求項１に記載の発明では、補助柱を屋根に取付ける場合には、補助柱の上部溝の開口に上部受具の棒状の係合部が位置するようにして補助柱を突き上げる。そうすると、上位置にある抜け止め具が上部受具の係合部に押されて付勢力に抗して押し下げられ、上部受具の係合部が上部溝に係合して上部溝の傾斜に沿って下方に移動して開口を過ぎると、抜け止め具が付勢力により上位置に上がる。抜け止め具が上位置にあると、抜け止め具の当接部が上部溝に係合している係合部の上部溝開口側に当接して、上部受具の係合部が上部溝から抜けるのを阻止する。
本発明によれば、補助柱の屋根への取付けは、補助柱を突き上げるだけであるから、屋根に補助柱をワンタッチで容易に取付けできる。
補助柱の取付け後は、抜け止め具の当接部が上部溝に係合している上部受具の係合部の上部溝開口側に当接して、上部受具の係合部が上部溝から抜けるのを阻止しているので、補助柱を回転したり揺らしても外れず、補助柱を確実に固定することができる。
【発明を実施するための最良の形態】
【０００７】
以下に、添付図面を参照して本発明の実施の形態を詳細に説明する。図１は図１０のＡ−Ａ断面図であり、図２は図９のＢ−Ｂ断面図であり、図３は図２のＣ−Ｃ断面図であり、図４は下受け皿の斜視図であり、図５は補助柱を屋根へ取付けるときの抜け止め具の動きを示す断面図であり、図６は支柱に補助柱を係止した状態を示す縦断面図であり、図７は図６のＦ−Ｆ断面であり、図８は下部係止具の斜視図であり、図９は本実施の形態にかかる簡易建物の正面図であり、図１０は本実施の形態にかかる簡易建物の側面図である。
本実施の形態にかかる簡易建物１は片持ち型のカーポートであり、支柱３で片側を支持した屋根５と、補助柱７と、上部受具８と、下部受具４１とを備えており、屋根５において、支柱３が設けてられている側と反対側の自由端には、補助柱７が脱着自在に設けられている。
補助柱７は、外部材１３と外部材１３の内部を上下にスライド自在な内部材１５とから構成され、外部材１３に対して内部材１５を引き出したり収納したりして伸縮自在になっており、外部材１３に設けた調整ねじ１７を締め付けることにより所定長さで固定できるようになっている。
補助柱７の上端７ａには、上部溝１９と抜け止め具（上部抜け止め具）２１とが設けてある。上部溝１９は上方に開口し、開口１９ａから後方に向けて傾斜している。抜け止め具２１は、補助柱７の内部で且つ上部溝１９の前側の内壁に上下動自在に設けてあり、下端がばね２３に固定してあり、ばね２３の自由状態において抜け止め具２１が上位置にある。抜け止め具２１は上端に上部溝１９に係合した上部受具の係合部９に当接する当接部２２を有ししており、当接部２２は抜け止め具２１が上位置にあるときに上部溝１９に係合している上部受具の係合部９の上部溝開口１９ａ側に位置して上部受具の係合部９が上部溝１９から抜けるのを阻止している。
また、抜け止め具２１には係合突部２９が設けてあり、係合突部２９が補助柱７に設けた上下方向の案内溝２７に案内されて抜け止め具２１が上下に移動するようになっている。尚、上部溝１９の上側には補強板２６が取り付けてあり、上部受具の係合部９が係合する部分を補強している。
補助柱７の中間部７ｃには操作部３１が設けてあり、操作部３１は連動部材３３により抜け止め具２１に連結されており、操作部３１を下げることにより、抜け止め具２１がばね２３の付勢力に抗して下がるようになっている。ばね２３は補助柱７の内部に設けてあり、一端が補助柱７に固定してあり他端が抜け止め具２１の下端に固定した板ばねである。
補助柱７の下端７ｂには下部溝３５が設けてあり、下部溝３５は下方が開口し、下部溝３５は開口３５ａから後方向に傾斜している。また、補助柱７の下端内部には下部溝３５の開口３５ａ側に下部抜け止め具３８が上下動自在に設けてあり、所定位置で止めねじ３７により固定自在になっている。
上部受具８は、水平方向に設けた棒状の係合部９を有し、屋根の梁３９に固定されている。この上部受具の係合部９は、上部溝１９の開口１９ａから上部溝１９に挿入して上部溝１９内を移動自在になっている。
下部受具４１は、水平方向に設けた棒状の係合部１１を有している。この下部受具の係合部１１は下部溝３５の開口３５ａから挿入して下部溝３５内を移動自在である。
一方、支柱３には補助柱７の非使用時に補助柱７を係止しておく上部係止具４３及び下部係止具４５が設けてある。
上部係止具４２は、棒状の係止部４３を有しており、支柱３の上部側面に固定されている。上部係止具４２の係止部４３は、上部受具の係合部９と同様に、補助柱７の上部溝１９の開口１９ａから上部溝１９に挿入自在になっている。
下部係止具４５は縦断面が略Ｕ字形状をなしており、略Ｕ字の先端４５ａを補助柱７の下端から内部に挿入してＵ字の溝４５ｂで補助柱７の下端を受けるようになっている。
【０００８】
次に、本実施の形態にかかる簡易建物１の作用及び効果を説明する。
補助柱７は自然状態では上部抜け止め具２１は上位置にあり、抜け止め具２１の上位置では、当接部２２が、上部溝１９の開口１９ａ側に位置する。そして、屋根５に補助柱７を取付ける場合には、補助柱７の上部溝１９の開口１９ａに上部受具８の棒状の係合部９が位置するようにして補助柱７を突き上げる（図５（ａ））。そうすると、抜け止め具２１の当接部２２がばね２３の付勢力に抗して上部受具の係合部９により押し下げられ、上部受具の係合部９が上部溝１９の開口１９ａから上部溝１９に入り込み、上部溝１９を傾斜に沿って移動し（図５（ｂ））、開口１９ａを過ぎると、抜け止め具２１が上部受具の係合部９から離れ、ばね２３の付勢力により上がり、上位置に位置する（図５（ｃ））。抜け止め具２１が上位置にあるときには、抜け止め具２１の当接部２２が上部溝１９における上部受具の係合部９の上部溝開口１９ａ側に位置して、上部溝に１９に係合した上部受具の係合部９が上部溝１９から抜けるのを阻止する。
次に、調整ねじ１７を緩めて内部材１５を外部材１３から下方に引き出して補助柱７の下端７ｂの下部溝３５を開口３５ａから下部受具１１に係合し、下部抜け止め具３８を下方にスライドして止めねじ３７で固定し、下部抜け止め具３８が下部溝３５に係合している下受具の係合部１１の下部溝開口３５ａ側に位置して、下部受具の係合部１１が下部溝３５から抜けるのを阻止する。
本発明によれば、補助柱７の屋根５への取付けは、上部受具の係合部９に対して補助柱７を上に突き上げるだけで、ワンタッチで容易に取付けできる。
補助柱７の取付け後は、上部抜け止め具２１がばね２３の付勢力により上位置にあり、当接部２２が上部溝１９に係合している上部受具の係合部９の上部溝開口１９ａ側に位置して上部受具の係合部９が上部溝１９から抜けるのを阻止しているので、補助柱７を回転したり揺らしても外れることがなく、補助柱７を確実に固定することができる。
また、本実施の形態では、補助柱７の下端７ｂにおいても、下部溝３５に棒状の下部受具の係合部１１を下部溝３５の開口３５ａから挿入して下部抜け止め具３８で下部溝３５からの抜けを阻止しているので、取付けが容易であると共に確実に固定できる。
次に、補助柱７の非使用時における、支柱３への補助柱７の係止について説明する。
まず、補助柱７を屋根３から外すが、補助柱７を屋根３から外す場合には、調整ねじ１７を緩めて外部材１３に対して内部材１５をスライド自在にしておく。そして、補助柱７の下端７ｂにおいて、止めねじ３７を緩めて下部抜け止め具３８を上方に移動して、下部溝３５から下部受具４１の係合部１１を外し、内部材１５を外部材１３内にスライドして補助柱７の寸法を短くしておき、操作部３１をばね２３の付勢力に抗して下げることにより上部抜け止め具２１を下位置にして、上部溝１９の開口１９ａから上部受具の係合部９を外す。
そして、補助柱７を支柱３に係止する場合には、上述した屋根５に固定する場合と同様に、補助柱７を上部係止具４３に対して突き上げて上部溝１９に上部係止具４３を係合する。次に、調整ねじ１７を緩めて内部材１５を下方に引き出して、下部係止具４５の略Ｕ字形状の先端４５ａを補助柱７の内部に挿入するようにして下部係止具４５に係止し、その位置で調整ねじ１７を締めて外部材１３と内部材１５を固定する。
支柱３に補助柱７を係止する場合にも、上部係止具４３に対して補助柱７を突き上げるだけでワンタッチで容易に係止できる。
また、補助柱７を支柱３に係止した後は、上部抜け止め具２１により上部係止具４３が上部溝１９の開口から抜けるのを規制しているので、補助柱７を回転したり揺り動かしたりしても外れず、補助柱７を確実に支柱３に固定することができる。
更に、補助柱７の下端７ｂでは下部係止具４５の略Ｕ字形状の先端４５ａを補助柱７の下端から内部に挿入するようにして係止するので補助柱下端７ｂの係止が簡単である。
【０００９】
本発明は、上述した実施の形態に限らず、本発明の要旨を逸脱しない範囲で種々変形可能である。
例えば、簡易建物１はカーポートに限らず、サイクルポート、通路シェルターやテラス等であっても良い。
上部抜け止め具２１を付勢するのはコイルスプリングであっても良いし、弾性体であれば良い。
上部溝１９の傾斜方向は開口１９ａから前方に向けて傾斜するものであってもよい。また、上部溝１９は開口１９ａから下方に垂直に設けて、垂直部の下端から後前何れか一方に傾斜するものであってもよい。
【図面の簡単な説明】
【００１０】
【図１】図１０のＡ−Ａ断面図である。
【図２】図９のＢ−Ｂ断面図である。
【図３】図２のＣ−Ｃ断面図である。
【図４】下受け皿の斜視図である。
【図５】補助柱を屋根へ取付けるときの抜け止め具の動きを示す断面図である。
【図６】支柱に補助柱を係止した状態を示す縦断面図である。
【図７】図６のＦ−Ｆ断面である。
【図８】下部係止具の斜視図である。
【図９】本実施の形態にかかる簡易建物の正面図である。
【図１０】本実施の形態にかかる簡易建物の側面図である。
【符号の説明】
【００１１】
１      簡易建物
５      屋根
７      補助柱
７ａ    上端
７ｂ    下端
８      上部受具
９      上部受具の係合部
１１    下部受具の係合部
１９    上部溝
１９ａ  開口
２１    抜け止め具（上部抜け止め具）
２２    当接部
２３    ばね
３１    操作部
３５    下部溝
４１    下部受具
【図１】
2006028771.tif 000003
【図２】
2006028771.tif 000004
【図３】
2006028771.tif 000005
【図４】
2006028771.tif 000006
【図５】
2006028771.tif 000007
【図６】
2006028771.tif 000008
【図７】
2006028771.tif 000009
【図８】
2006028771.tif 000010
【図９】
2006028771.tif 000011
【図１０】
2006028771.tif 000012